(57)【要約】【課題】露出補正ダイヤルとタッチパネルの双方で快適に露出補正値の設定が可能な撮像装置を提供する。【解決手段】本発明の撮像装置は、露出補正ダイヤルと、タッチ検知手段と、露出補正ダイヤルが、位置に応じた一意の露出補正値に設定する第１の種別の位置となっている場合には、露出補正値を示す表示アイテムを表示手段に第１の表示形態で表示し、露出補正ダイヤルが、第１の種別の位置とは異なる特定の位置になっている場合には、表示アイテムを第２の表示形態で表示するように制御する表示制御手段と、表示アイテムが第１の表示形態で表示されている場合にはタッチ操作に応じては露出補正値を変更せず、表示アイテムが第２の表示形態で表示されている場合には、表示アイテムに対するタッチ操作があったことに基づいて、露出補正値をタッチ操作に応じた値に変更するように制御する制御手段とを有する。【選択図】図３
2020043472.tif 000002
【特許請求の範囲】
【請求項１】
位置に対応した露出補正値に設定する露出補正ダイヤルと、
表示手段に対するタッチ操作を検知するタッチ検知手段と、
前記露出補正ダイヤルが、位置に応じた一意の露出補正値に設定する第１の種別の位置となっている場合には、露出補正値を示す表示アイテムを前記表示手段に第１の表示形態で表示し、前記露出補正ダイヤルが、前記第１の種別の位置とは異なる特定の位置になっている場合には、前記表示アイテムを第２の表示形態で表示するように制御する表示制御手段と、
前記表示アイテムが前記第１の表示形態で表示されている場合にはタッチ操作に応じては前記露出補正値を変更せず、前記表示アイテムが前記第２の表示形態で表示されている場合には、前記表示アイテムに対するタッチ操作があったことに基づいて、露出補正値をタッチ操作に応じた値に変更するように制御する制御手段と
を有することを特徴とする撮像装置。
【請求項２】
位置に対応した露出補正値に設定する露出補正ダイヤルと、
表示手段に対するタッチ操作を検知するタッチ検知手段と、
前記露出補正ダイヤルが、位置に応じた一意の露出補正値に設定する第１の種別の位置であって、露出補正ゼロを示す特定の位置以外の位置となっている場合には、露出補正値を示す表示アイテムを前記表示手段に第１の表示形態で表示し、前記露出補正ダイヤルが、前記特定の位置になっている場合には、前記表示アイテムを第２の表示形態で表示するように制御する表示制御手段と、
前記表示アイテムが前記第１の表示形態で表示されている場合にはタッチ操作に応じては前記露出補正値を変更せず、前記表示アイテムが前記第２の表示形態で表示されている場合には、前記表示アイテムに対するタッチ操作があったことに基づいて、露出補正値をタッチ操作に応じた値に変更するように制御する制御手段と
を有することを特徴とする撮像装置。
【請求項３】
露出補正ダイヤルが、前記特定の位置から、前記特定の位置と異なる前記第１の種別の位置に変更されたことに応じて、前記制御手段は、前記特定の位置にあった場合にタッチ操作に基づいて設定された設定値は破棄して、前記露出補正ダイヤルの位置に応じた露出補正値に設定する
ことを特徴とする請求項１または２に記載の撮像装置。
【請求項４】
前記制御手段は、
露出補正ダイヤルが、前記特定の位置から、前記特定の位置と異なる前記第１の種別の位置に変更されたことに応じて、前記特定の位置にあった場合にタッチ操作に基づいて設定された設定値は記憶手段に記憶した状態で、前記露出補正ダイヤルの位置に応じた露出補正値に設定し、
その後、露出補正ダイヤルが前記特定の位置と異なる前記第１の種別の位置から前記特定の位置に変更されたことに応じて、前記記憶手段に記憶された設定値に露出補正値を設定する
ことを特徴とする請求項１または２に記載の撮像装置。
【請求項５】
前記第１の表示形態は、タッチ操作が不可であることを示す表示形態であり、
前記第２の表示形態は、タッチ操作が可能であることを示す表示形態である
ことを特徴とする請求項１乃至４のいずれか１項に記載の撮像装置。
【請求項６】
前記露出補正ダイヤルとも前記表示手段とも異なる特定の操作手段を更に有し、
前記制御手段は、
前記露出補正ダイヤルが前記特定の位置である場合に前記特定の操作手段が操作されたことに応じて露出補正の設定値を変更するように制御し、
前記露出補正ダイヤルが前記特定の位置でない場合に前記特定の操作手段が操作されても露出補正の設定値を変更しない
ことを特徴とする請求項１乃至５のいずれか１項に記載の撮像装置。
【請求項７】
前記表示制御手段は、
前記露出補正ダイヤルが前記特定の位置である場合に露出補正値を示す表示アイテムを前記第２の表示形態で表示するとともに、前記特定の操作手段を示す表示アイテムを対応付けて表示するように制御し、
前記露出補正ダイヤルが前記特定の位置でない場合に露出補正値を示す表示アイテムを前記第１の表示形態で表示し、前記特定の操作手段を示す表示アイテムを対応付けては表示しない
ことを特徴とする請求項６に記載の撮像装置。
【請求項８】
前記特定の操作手段に対して複数の機能のうち何れかをユーザー操作に応じて割り当てて登録する登録手段を更に有し、
前記制御手段は、
前記露出補正ダイヤルが前記特定の位置であり、かつ、前記特定の操作手段に対して露出補正の設定機能が前記登録手段によって割り当てられている場合に、前記特定の操作手段が操作されたことに応じて露出補正の設定値を変更するように制御し、
前記露出補正ダイヤルが前記特定の位置であっても、前記登録手段によって前記特定の操作手段に対して前記露出補正の設定機能が割り当てられていない場合には、前記特定の操作手段が操作されても露出補正の設定値を変更しない
ことを特徴とする請求項６または７に記載の撮像装置。
【請求項９】
前記表示制御手段は、前記登録手段での機能の登録のために、前記特定の操作手段に対して割り当てる機能を前記複数の機能から選択する過程において、前記特定の操作手段に割り当てられる前記露出補正の設定機能は前記露出補正ダイヤルが前記特定の位置である場合にのみ有効である旨を示すガイドを表示するように制御する
ことを特徴とする請求項８に記載の撮像装置。
【請求項１０】
位置に対応した露出補正値に設定する露出補正ダイヤルと、表示手段に対するタッチ操作を検知するタッチ検知手段と、を有する撮像装置の制御方法であって、
前記露出補正ダイヤルが、位置に応じた一意の露出補正値に設定する第１の種別の位置となっている場合には、露出補正値を示す表示アイテムを前記表示手段に第１の表示形態で表示し、前記露出補正ダイヤルが、前記第１の種別の位置とは異なる特定の位置になっている場合には、前記表示アイテムを第２の表示形態で表示するように制御する表示制御ステップと、
前記表示アイテムが前記第１の表示形態で表示されている場合にはタッチ操作に応じては前記露出補正値を変更せず、前記表示アイテムが前記第２の表示形態で表示されている場合には、前記表示アイテムに対するタッチ操作があったことに基づいて、露出補正値をタッチ操作に応じた値に変更するように制御する制御ステップと
を有することを特徴とする撮像装置の制御方法。
【請求項１１】
位置に対応した露出補正値に設定する露出補正ダイヤルと、表示手段に対するタッチ操作を検知するタッチ検知手段と、を有する撮像装置の制御方法であって、
前記露出補正ダイヤルが、位置に応じた一意の露出補正値に設定する第１の種別の位置であって、露出補正ゼロを示す特定の位置以外の位置となっている場合には、露出補正値を示す表示アイテムを前記表示手段に第１の表示形態で表示し、前記露出補正ダイヤルが
、前記特定の位置になっている場合には、前記表示アイテムを第２の表示形態で表示するように制御する表示制御ステップと、
前記表示アイテムが前記第１の表示形態で表示されている場合にはタッチ操作に応じては前記露出補正値を変更せず、前記表示アイテムが前記第２の表示形態で表示されている場合には、前記表示アイテムに対するタッチ操作があったことに基づいて、露出補正値をタッチ操作に応じた値に変更するように制御する制御ステップと
を有することを特徴とする撮像装置の制御方法。
【請求項１２】
コンピュータを、請求項１乃至９のいずれか１項に記載された撮像装置の各手段として機能させるためのプログラム。
【請求項１３】
コンピュータを、請求項１乃至９のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置及びその制御方法に関する。
【背景技術】
【０００２】
露出補正が可能な撮像装置が知られている。露出補正の設定値の変更方法として、特許文献１のように、露出補正ダイヤルを設け、露出補正ダイヤルを回転移動させ、所望の露出補正値に対応した露出補正目盛りと、指標とを合わせた位置とすることによって露出補正値を設定可能としたものが知られている。また、タッチパネルに対するタッチ操作によって露出補正値を設定可能な撮像装置も知られている。特許文献２には、表示部に露出補正を設定するための指標を表示させるとともに、指標がタッチされたことを検出すると、タッチされた指標に応じて露出補正を設定することが提案されている。
【先行技術文献】
【特許文献】
【０００３】
【特許文献１】特開平１０−１０４７１３号公報
【特許文献２】特開２０１３−１４３６４４号公報
【発明の概要】
【発明が解決しようとする課題】
【０００４】
ここで、露出補正ダイヤルに対する回転操作と、タッチパネルに対するタッチ操作との双方で露出補正値の設定が可能であると便利である。しかしながら、そのようにすると、露出補正ダイヤルの位置と設定されている露出補正値との不整合が起きることがあり、ユーザーが快適に露出補正値を設定できない。具体的には、露出補正ダイヤルの位置が示す露出補正値と異なる露出補正値がタッチパネルに対するタッチ操作によって設定されると、ユーザーがどちらの露出補正値が現在設定されているのか混乱する。
【０００５】
本発明は、露出補正ダイヤルとタッチパネルの双方で快適に露出補正値の設定が可能な撮像装置を提供することを目的とする。
【課題を解決するための手段】
【０００６】
本発明の撮像装置は、位置に対応した露出補正値に設定する露出補正ダイヤルと、表示手段に対するタッチ操作を検知するタッチ検知手段と、前記露出補正ダイヤルが、位置に応じた一意の露出補正値に設定する第１の種別の位置となっている場合には、露出補正値を示す表示アイテムを前記表示手段に第１の表示形態で表示し、前記露出補正ダイヤルが、前記第１の種別の位置とは異なる特定の位置になっている場合には、前記表示アイテムを第２の表示形態で表示するように制御する表示制御手段と、前記表示アイテムが前記第１の表示形態で表示されている場合にはタッチ操作に応じては前記露出補正値を変更せず、前記表示アイテムが前記第２の表示形態で表示されている場合には、前記表示アイテムに対するタッチ操作があったことに基づいて、露出補正値をタッチ操作に応じた値に変更するように制御する制御手段とを有する。
【発明の効果】
【０００７】
本発明によれば、露出補正ダイヤルとタッチパネルの双方で快適に露出補正値の設定を行うことができる。
【図面の簡単な説明】
【０００８】
【図１】デジタルカメラの外観図およびブロック図である。
【図２】露出補正ダイヤルの状態例、及び、表示部に表示される画面例である。
【図３】撮影モード処理のフローチャートである。
【図４】表示部に表示される画面例である。
【発明を実施するための形態】
【０００９】
以下、図面を参照して本発明の好適な実施形態を説明する。図１は、本発明の撮像機器の一例としてのデジタルカメラ１００の外観図である。表示部２８は画像や各種情報を表示する表示部である。タッチパネル７０ａは、表示部２８の表示面（タッチ操作面）に対するタッチ操作を検知するタッチ検知部である。シャッターボタン６１は撮影指示を行うための操作部である。モード切替スイッチ６０は各種モードを切り替えるための操作部である。コネクタ１１２は、接続ケーブル１１１とデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。電源スイッチ７２は、電源オン、電源オフを切り替えるための押しボタンである。露出補正ダイヤル７４は回転操作部材であり、露出補正ダイヤル７４に対する回転操作により露出補正値の設定変更が可能である。露出補正ダイヤル７４は、物理的に露出補正値の目盛が割り当てられている位置（位置に応じた一意の露出補正値に設定する種別の位置）と、そうでない特定の位置（カスタムポジション）とを持っている。以後、カスタムポジションを「Ｃポジション」と記載する。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１０】
図１（Ｂ）は、デジタルカメラ１００の構成例を示すブロック図である。図１（Ｂ）において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１３】
また、メモリ３２は画像表示用のメモリ（ビデオメモリ）を兼ねている。Ｄ／Ａ変換器１３は、メモリ３２に格納されている画像表示用のデータをアナログ信号に変換して表示
部２８に供給する。こうして、メモリ３２に書き込まれた表示用の画像データはＤ／Ａ変換器１３を介して表示部２８により表示される。表示部２８は、ＬＣＤ等の表示器上で、Ｄ／Ａ変換器１３からのアナログ信号に応じた表示を行う。Ａ／Ｄ変換器２３によってＡ／Ｄ変換されメモリ３２に蓄積されたデジタル信号をＤ／Ａ変換器１３においてアナログ信号にＤ／Ａ変換し、表示部２８に転送して表示する。これを逐次行うことで、電子ビューファインダとしての機能が実現でき、スルー表示（ライブビュー表示）を行える。
【００１４】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１５】
システム制御部５０は、デジタルカメラ１００全体を制御する。システム制御部５０は、前述した不揮発性メモリ５６に記録されたプログラムを実行することで、後述する本実施形態の各処理を実現する。システムメモリ５２はＲＡＭである。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１６】
システムタイマー５３は各種制御に用いる時間や、内蔵された時計の時間を計測する計時部である。モード切替スイッチ６０、シャッターボタン６１（第１シャッタースイッチ６２と第２シャッタースイッチ６４）、操作部７０、タッチパネル７０ａはシステム制御部５０に各種の動作指示を入力するための操作手段である。
【００１７】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００１８】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００１９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示され
たメニュー画面と、上下左右の４方向ボタンやＳＥＴボタンとを用いて直感的に各種設定を行うことができる。
【００２１】
コントローラーホイール７３は、操作部７０に含まれる回転操作可能な操作部材であり、方向ボタンと共に選択項目を指示する際などに使用される。コントローラーホイール７３を回転操作すると、操作量に応じて電気的なパルス信号が発生し、このパルス信号に基づいてシステム制御部５０はデジタルカメラ１００の各部を制御する。このパルス信号によって、コントローラーホイール７３が回転操作された角度や、何回転したかなどを判定することができる。なお、コントローラーホイール７３は回転操作が検出できる操作部材であればどのようなものでもよい。例えば、コントローラーホイール７３は、ユーザーの回転操作に応じてコントローラーホイール７３自体が回転してパルス信号を発生するダイヤル操作部材であってもよい。また、コントローラーホイール７３は、タッチセンサよりなる操作部材で、コントローラーホイール７３自体は回転せず、コントローラーホイール７３上でのユーザーの指の回転動作などを検出するものであってもよい（いわゆる、タッチホイール）。
【００２２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２３】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２４】
通信部５４は、無線または有線ケーブルによって接続された外部機器に対して、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー表示されるスルー画像を含む）や、記録媒体２００に記録された画像を送信可能であり、また、外部機器から画像データやその他の各種情報を受信することができる。
【００２５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００２６】
タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる。
【００２７】
・タッチパネル７０ａにタッチしていなかった指やペンが新たにタッチパネル７０ａにタッチしたこと、すなわちタッチの開始（以下、タッチダウン（Ｔｏｕｃｈ−Ｄｏｗｎ）と称する）
・タッチパネル７０ａを指やペンでタッチしている状態（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れた（リリースされた）こと、すなわちタッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００２８】
タッチダウンが検出されると、同時にタッチオンも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００２９】
これらの操作・状態や、タッチパネル７０ａ上に指やペンがタッチしている位置座標は内部バスを通じてシステム制御部５０に通知される。そして、システム制御部５０は通知された情報に基づいてタッチパネル７０ａ上にどのような操作（タッチ操作）が行われたかを判定する。タッチムーブについてはタッチパネル７０ａ上で移動する指やペンの移動方向についても、位置座標の変化に基づいて、タッチパネル７０ａ上の垂直成分・水平成分毎に判定できる。またタッチパネル７０ａ上をタッチダウンから一定のタッチムーブを経てタッチアップをしたとき、ストロークを描いたこととする。素早くストロークを描く操作をフリックと呼ぶ。フリックは、タッチパネル７０ａ上に指をタッチしたままある程度の距離だけ素早く動かして、そのまま離すといった操作であり、言い換えればタッチパネル７０ａ上を指ではじくように素早くなぞる操作である。所定距離以上を、所定速度以上でタッチムーブしたことが検出され、そのままタッチアップが検出されるとフリックが行われたと判定できる。また、所定距離以上を、所定速度未満でタッチムーブしたことが検出された場合はドラッグが行われたと判定するものとする。
【００３０】
タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いてもよい。タッチパネルに対する接触があったことでタッチがあったと検出する方式や、タッチパネルに対する指やペンの接近があったことでタッチがあったと検出する方式ものがあるが、いずれの方式でもよい。
【００３１】
図２（Ａ），２（Ｂ）は露出補正ダイヤル７４の状態例を示し、図２（Ｃ）〜２（Ｅ）は表示部２８に表示される画面例を示す。
【００３２】
図２（Ａ）では、露出補正ダイヤル７４（露出補正ダイヤル７４の複数の位置のうち、指標に合った位置）は、位置に応じた一意の露出補正値に設定する種別の位置となっている。具体的には、露出補正ダイヤル７４は、物理的に露出補正値「＋１」の目盛が割り当てられている位置となっている。図２（Ｃ）は、露出補正ダイヤル７４が図２（Ａ）の場合に表示される画面例を示す。この場合は、システム制御部５０は、露出補正ダイヤル７４の位置に応じた露出補正値「＋１」に設定し、タッチパネル７０ａに対するタッチ操作による露出補正値の設定を不可とする（タッチ操作に応じては露出補正値を変更しない）。このため、図２（Ｃ）に示すように、システム制御部５０は、露出補正ダイヤル７４の
位置に応じた露出補正値「＋１」を示す設定表示アイテム２１１を、タッチ操作が不可であることを示す表示形態で表示する。
【００３３】
図２（Ｂ）では、露出補正ダイヤル７４は、位置に応じた一意の露出補正値に設定する種別の位置とは異なる特定の位置（Ｃポジション）になっている。図２（Ｄ）は、露出補正ダイヤル７４が図２（Ｂ）の場合に表示される画面例を示す。この場合は、システム制御部５０は、Ｃポジション時に記憶した露出補正値に設定し、タッチパネル７０ａに対するタッチ操作による露出補正値の設定を許可とする（タッチ操作があったことに基づいて、露出補正値をタッチ操作に応じた値に変更する）。このため、図２（Ｄ）に示すように、システム制御部５０は、Ｃポジション時に記憶した露出補正値を示す設定表示アイテム２２１を、タッチ操作が可能であることを示す表示形態で表示する。具体的には、露出補正値を設定するタッチ操作の受け付け開始を指示するタッチ操作用の露出補正タッチボタン２２２上に設定表示アイテム２１１を表示する。
【００３４】
露出補正タッチボタン２２２に対するタッチ操作が行われると、システム制御部５０は、表示部２８に表示された画面を、露出補正値を設定するタッチ操作用の露出補正タッチバー画面に遷移させる。図２（Ｅ）は露出補正タッチバー画面の一例を示す。図２（Ｅ）の露出補正タッチバー画面には、露出補正値を設定する露出補正タッチバー２３１、露出補正値を上げるプラスボタン２３２、及び、露出補正値を下げるマイナスボタン２３３が表示されている。露出補正タッチバー２３１、プラスボタン２３２、マイナスボタン２３３の少なくともいずれかに対するタッチ操作が行われると、システム制御部５０は、当該タッチ操作に応じた露出補正値に設定する。また、図２（Ｅ）の露出補正タッチバー画面には、表示部２８に表示された画面を遷移前画面に戻すリターンボタン２３４が表示されている。例えば、リターンボタン２３４に対するタッチ操作が行われると、システム制御部５０は、表示部２８に表示された画面を図２（Ｄ）の画面に戻す。リターンボタン２３４は、タッチ操作による露出補正値の設定を終了するボタンや、露出補正タッチバー画面の表示を終了するボタンなどとも言える。
【００３５】
なお、本実施形態では、タッチ操作が可能であることを示す表示形態は、露出補正タッチボタン２２２を表示する表示形態であるが、これに限らない。例えば、タッチ操作が可能であることを示す表示形態は、タッチ操作が可能であることを示す他の表示アイテム（アイコンなど）を表示する表示形態であってもよい。タッチ操作が可能であることを示す表示形態は、露出補正値を設定するタッチ操作を受け付け可能な表示形態であってもよい（露出補正タッチバー画面への遷移は無くてもよい）。また、本実施形態では、タッチ操作が不可であることを示す表示形態は、露出補正タッチボタン２２２を表示しない表示形態であるが、これに限らない。例えば、タッチ操作が不可であることを示す表示形態は、タッチ操作が不可であることを示す表示アイテム（アイコンなど）を表示する表示形態であってもよい。
【００３６】
また、本実施形態（設定表示アイテム２１１，２２１）では、設定されている露出補正値が目盛値として表示されるが、これに限らない。例えば、設定されている露出補正値のみの数値表示が行われてもよい。
【００３７】
図３は、デジタルカメラ１００で行われる撮影モード処理の詳細を示すフローチャートである。この処理は、システム制御部５０が不揮発性メモリ５６に記録されたプログラムをシステムメモリ５２に展開して実行することにより実現される。デジタルカメラ１００を撮影モードで起動すると、図３の処理が開始する。
【００３８】
ステップＳ３０１では、システム制御部５０は初期表示処理を行う。初期表示処理では、不揮発性メモリ５６から静止画撮影の設定値を取得してシステムメモリ５２に格納した
り、撮像部２２で撮像された画像を記録媒体２００に記録せずにリアルタイムで表示するスルー表示（ライブビュー表示）を行ったりする。撮影者は、スルー表示された画像（動画像）を見て、画角を確認したり、撮影のタイミングを計ったりできる。
【００３９】
ステップＳ３０２では、システム制御部５０は、露出補正ダイヤル７４がＣポジション（位置に応じた一意の露出補正値に設定する種別の位置とは異なる特定の位置）か否かを判定する。露出補正ダイヤル７４がＣポジションであると判定した場合はステップＳ３０３に進み、そうでない場合はステップＳ３１４に進む。
【００４０】
ステップＳ３０３では、システム制御部５０は、Ｃポジション用の露出補正値を不揮発性メモリ５６から取得して撮影条件に設定する。これにより、露出補正ダイヤル７４がＣポジションと異なる位置（位置に応じた一意の露出補正値に設定する種別の位置）からＣポジションに変更されたことに応じて、不揮発性メモリ５６に記録された設定値に露出補正値が設定される。
【００４１】
なお、本実施形態では、後述のステップＳ３０９で、Ｃポジション用の露出補正値が不揮発性メモリ５６に保存される。ステップＳ３０９が行われる前において、不揮発性メモリ５６がＣポジション用の露出補正値として所定の初期値（例えば０（ゼロ））を記憶していてもよいし、そうでなくてもよい。ステップＳ３０３で、不揮発性メモリ５６がＣポジション用の露出補正値を記憶していない場合に、システム制御部５０は上記初期値を設定してもよい。
【００４２】
ステップＳ３０４では、システム制御部５０は、タッチパネル７０ａに対するタッチ操作による露出補正値の設定を可能とするために、露出補正タッチボタンを表示部２８に表示する。
【００４３】
ステップＳ３０５では、システム制御部５０は、ステップＳ３０３で取得して設定した露出補正値を示す設定表示アイテムを、ステップＳ３０４で表示した露出補正タッチボタン上に表示する。これにより、表示部２８に表示された画面は、図２（Ｄ）に示すような画面となる。
【００４４】
ステップＳ３０６では、システム制御部５０は、露出補正タッチボタンに対するタッチ操作が行われたか否かを判定する。タッチ操作が行われたと判定した場合はステップＳ３０７に進み、そうでない場合はステップＳ３１８に進む。
【００４５】
ステップＳ３０７では、システム制御部５０は、タッチパネル７０ａに対するタッチ操作による露出補正値の設定を可能とするために、表示部２８に表示された画面を、図２（Ｅ）に示すような露出補正タッチバー画面に遷移させる。
【００４６】
ステップＳ３０８では、システム制御部５０は、ステップＳ３０７で表示した露出補正タッチバーに対して、露出補正値を設定するタッチ操作が行われたか否かを判定する。例えば、システム制御部５０は、図２（Ｅ）の露出補正タッチバー２３１、プラスボタン２３２、または、マイナスボタン２３３へのタッチ操作が行われたか否かを判定する。タッチ操作が行われたと判定した場合はステップＳ３０９に進み、そうでない場合はステップＳ３１０に進む。
【００４７】
ステップＳ３０９では、システム制御部５０は、ステップＳ３０８で行われたタッチ操作に応じた露出補正値（変更後）を撮影条件に設定し、Ｃポジション用の露出補正値として不揮発性メモリ５６に保存する。不揮発性メモリ５６がＣポジション用の露出補正値を既に記憶している場合には、Ｃポジション用の露出補正値が更新される。
【００４８】
ステップＳ３１０では、システム制御部５０は、ステップＳ３０７で表示した露出補正タッチバー画面の表示を終了する終了操作があったか否かを判定する。例えば、システム制御部５０は、図２（Ｅ）のリターンボタン２３４へのタッチ操作が行われたか否かを判定する。終了操作があったと判定した場合はステップＳ３１１に進み、そうでない場合はステップＳ３１２に進む。
【００４９】
ステップＳ３１１では、システム制御部５０は、ステップＳ３０７で表示した露出補正タッチバーを非表示にする。表示部２８に表示された画面は、図２（Ｄ）に示すような遷移前画面となる。
【００５０】
ステップＳ３１２では、システム制御部５０は、露出補正ダイヤル７４が操作されたか否かを判定する。露出補正ダイヤル７４が操作されたと判定した場合はステップＳ３１３に進み、そうでない場合はステップＳ３０８に戻る。
【００５１】
ステップＳ３１３では、システム制御部５０は、ステップＳ３０７で表示した露出補正タッチバー画面を非表示にする。表示部２８に表示された画面は、ステップＳ３０１の処理後のようなライブビュー表示の画面や、図２（Ｄ）に示すような遷移前画面となる。そしてステップＳ３０２に戻り、ステップＳ３０２からステップＳ３１４に進む。
【００５２】
ステップＳ３１４では、システム制御部５０は、露出補正ダイヤル７４の位置に応じた一意の露出補正値を不揮発性メモリ５６から取得して撮影条件に設定する。
【００５３】
ステップＳ３１５では、システム制御部５０は、タッチパネル７０ａに対するタッチ操作による露出補正値の設定を不可とするために、露出補正タッチボタンを非表示にする。この処理は、露出補正タッチボタンが表示部２８に表示されている場合に行われる。
【００５４】
ステップＳ３１６では、システム制御部５０は、ステップＳ３１４で取得して設定した露出補正値を示す設定表示アイテムを表示部２８に表示する。これにより、表示部２８に表示された画面は、図２（Ｃ）に示すような画面となる。
【００５５】
ステップＳ３１７では、システム制御部５０は、露出補正ダイヤル７４が操作されたか否かを判定する。露出補正ダイヤル７４が操作されたと判定した場合はステップＳ３０２に戻り、そうでない場合はステップＳ３１８に進む。
【００５６】
ステップＳ３１８では、システム制御部５０は、静止画撮影処理の実行を指示する静止画撮影操作が行われたか否かを判定する。静止画撮影操作が行われたと判定した場合はステップＳ３１９に進み、そうでない場合はステップＳ３２０に進む。
【００５７】
ステップＳ３１９では、システム制御部５０は、静止画を撮影する静止画撮影処理を実行する。
【００５８】
ステップＳ３２０では、システム制御部５０は、動画撮影処理の実行を指示する動画撮影操作が行われたか否かを判定する。動画撮影操作が行われたと判定した場合はステップＳ３２１に進み、そうでない場合はステップＳ３２２に進む。
【００５９】
ステップＳ３２１では、システム制御部５０は、動画を撮影する動画撮影処理を実行する。
【００６０】
ステップＳ３２２では、システム制御部５０は、撮影モード処理を終了する終了操作以
外の他操作が行われたか否かを判定する。他操作が行われたと判定した場合はステップＳ３２３に進み、そうでない場合はステップＳ３２４に進む。
【００６１】
ステップＳ３２３では、システム制御部５０は、ステップＳ３２２で行われた他操作に応じた他処理を実行する。
【００６２】
ステップＳ３２４では、システム制御部５０は、撮影モード（撮影モード処理）を終了する終了操作が行われたか否かを判定する。終了操作が行われたと判定した場合は撮影モード処理を終了し、そうでない場合はステップＳ３０２に戻る。
【００６３】
以上述べたように、本実施形態によれば、露出補正ダイヤル７４の位置に応じて、露出補正値を変更するタッチ操作の可否が切り替えられる。そして、タッチ操作が可能な場合と、そうでない場合とで、露出補正値を示す設定表示アイテムの表示形態が異なる。これらにより、ユーザーはタッチ操作で露出補正値が変更可能かを容易に判断でき、露出補正ダイヤルとタッチパネルの双方で快適に露出補正値の設定を行うことができる。また、タッチ操作を可能とする特定の位置をＣポジションとすることで、露出補正ダイヤルの位置と設定されている露出補正値との不整合の発生を防止できる。
【００６４】
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００６５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６６】
例えば、露出補正値を変更するタッチ操作が可能な特定の位置は、位置に応じた一意の露出補正値に設定する種別の複数の位置のいずれかであってもよい。例えば、露出補正ダイヤル７４が露出補正ゼロを示す位置となっている場合に露出補正値を変更するタッチ操作を可能としてもよい。そして、露出補正ダイヤル７４が、位置に応じた一意の露出補正値に設定する種別の位置であって、露出補正ゼロを示す位置以外の位置となっている場合に露出補正値を変更するタッチ操作を不可としてもよい。また、露出補正ダイヤル７４が特定の位置にあった場合にタッチ操作に基づいて設定された設定値をＣポジション用の露出補正値として不揮発性メモリ５６に保存する例を説明したが、これに限らない。露出補正ダイヤル７４が特定の位置から変更されたことに応じて、システム制御部５０は、特定の位置にあった場合にタッチ操作に基づいて設定された設定値は破棄して、露出補正ダイヤル７４の位置に応じた露出補正値に設定してもよい。
【００６７】
また、コントローラーホイール７３などの特定の操作部材に露出補正の設定機能が割り当てられていてもよい。システム制御部５０は、特定の操作部材に対して複数の機能のうち何れかをユーザー操作に応じて割り当てて登録するような機能カスタマイズが可能であってもよい。ここで、特定の操作部材に露出補正の設定機能が割り当てられている場合を考える。露出補正ダイヤル７４が特定の位置であれば、システム制御部５０は、特定の操作部材が操作されたことに応じて露出補正の設定値を変更するように制御する。一方、露出補正ダイヤル７４が特定の位置でなければ、システム制御部５０は、特定の操作部材が操作されても露出補正の設定値を変更しない。また、露出補正ダイヤル７４が特定の位置であっても、特定の操作部材に対して露出補正の設定機能が割り当てられていない場合には、システム制御部５０は、特定の操作部材が操作されても露出補正の設定値を変更しない。
【００６８】
図４（Ａ）は、コントローラーホイール７３に機能を割り当てるための機能割り当て画面の一例を示す。例えば、ユーザーによって、メニュー画面から、コントローラーホイール７３の機能カスタマイズの項目が選択されると、システム制御部５０は、図４（Ａ）の機能割り当て画面を表示部２８に表示する。図４（Ａ）の機能割り当て画面には、複数の機能にそれぞれ対応する複数の項目４０１とカーソル４０２が表示されている。複数の項目４０１のいずれかをカーソル４０２で選択・確定するユーザー操作に応じて、システム制御部５０は、選択・確定された項目の機能をコントローラーホイール７３に割り当てて登録する。
【００６９】
図４（Ａ）に示すように、コントローラーホイール７３に割り当てる機能を複数の機能から選択する過程で、システム制御部５０は、カーソル４０２で選択されている機能を示すガイダンス（ガイド）４０３も表示する。図４（Ａ）では、露出補正の設定機能が選択されており、「露出補正（±ダイヤル＜・＞時有効）」というテキストがガイダンス４０３として表示されている。ここで、「±ダイヤル」は露出補正ダイヤル７４を意味し、「＜・＞」は露出補正ダイヤル７４のＣポジション（特定の位置）を意味する。つまり、ガイダンス４０３は、コントローラーホイール７３に割り当てられる露出補正の設定機能は露出補正ダイヤル７４がＣポジションである場合にのみ有効である旨を示す。これにより、ユーザーは、コントローラーホイール７３に割り当てられた露出補正の設定機能の利用方法を容易に把握でき、利便性が向上する。図４（Ａ）の状態でセットボタンが押下されると、システム制御部５０は、露出補正の設定機能をコントローラーホイール７３に割り当てて登録し、その登録情報を不揮発性メモリ５６に記録する。
【００７０】
図４（Ｂ）は、露出補正ダイヤル７４がＣポジションであり、且つ、コントローラーホイール７３に露出補正の設定機能が割り当てられている場合に表示部２８に表示される画面例を示す。図４（Ｂ）の画面は、例えば、測光タイマー中（第１シャッタースイッチ信号ＳＷ１によるＡＦ処理開始から数秒の所定期間）に表示される画面である。図４（Ｂ）の画面には、図２（Ｄ）の画面と同様に、設定表示アイテム２２１と露出補正タッチボタン２２２が表示されている。さらに、図４（Ｂ）に示すように、システム制御部５０は、コントローラーホイール７３を示す表示アイテムであるアイコン４１１を、設定表示アイテム２２１に対応付けて表示する。これにより、ユーザーは、コントローラーホイール７３の操作（回転）によって露出補正値が変更されることを容易に把握でき、利便性が向上する。
【００７１】
なお、露出補正ダイヤル７４がＣポジションでない場合には、システム制御部５０は、アイコン４１１を設定表示アイテムに対応付けて表示することはせず、図２（Ｃ）に示すような画面を表示する。同様に、露出補正ダイヤル７４がＣポジションであっても、コントローラーホイール７３に露出補正の設定機能が割り当てられていない場合には、システム制御部５０は、アイコン４１１を表示することはせず、図２（Ｄ）に示すような画面を表示する。
【００７２】
また、上述した実施形態においては、本発明をデジタルカメラ１００に適用した場合を例にして説明したが、これはこの例に限定されず、露出補正ダイヤルとタッチ操作部材を備える撮像装置であれば適用可能である。
【００７３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７４】
１００：デジタルカメラ
５０：システム制御部  ７０ａ：タッチパネル  ７４：露出補正ダイヤル
【図１】
2020043472.tif 000003
【図２】
2020043472.tif 000004
【図３】
2020043472.tif 000005
【図４】
2020043472.tif 000006